【事件の表示】
　特願２００７−２４４２９８「看護情報生成システムおよび看護必要度チェックデータ生成装置」拒絶査定不服審判事件〔平成２１年　４月　９日出願公開、特開２００９−　７５８７２、請求項の数（７）〕について、次のとおり審決する。
【結　論】
　原査定を取り消す。
　本願の発明は、特許すべきものとする。
【理　由】
第１　手続の経緯
　
　本願は，平成１９年９月２０日の出願であって，平成２４年４月２３日付けで拒絶理由通知がなされ，同年６月２０日に手続補正がなされたが，同年１０月２５日付けで拒絶査定がなされ，これに対し，平成２５年１月７日に拒絶査定不服審判が請求されたものである。
　
第２　本願発明
　
　本願の請求項１〜７に係る発明（以下，「請求項１発明」〜「請求項７発明」という。）は，平成２４年６月２０日の手続補正により補正された特許請求の範囲の請求項１〜７に記載された事項により特定される，次のとおりのものである。
　
「【請求項１】
患者に対して使用される医療機器が異常を検知した場合に出力する警告情報を擬似的に発生させて出力する警告情報出力部と、
　前記警告情報出力部により出力された前記警告情報を含むナースコール情報を出力するナースコール情報出力部と、
　前記ナースコール情報出力部により出力された前記ナースコール情報に基づいて、前記患者の看護必要度を算出するために用いられる看護必要度チェックデータを生成する看護必要度チェックデータ生成部とを備え、
前記看護必要度チェックデータ生成部は、前記ナースコール情報に前記警告情報が含まれていた場合、前記医療機器の使用開始の合図とみなして、前記看護必要度チェックデータのうち前記患者に対する前記医療機器の使用に関する項目に使用ありの値を入力することを特徴とする看護情報生成システム。
　　【請求項２】
請求項１に記載の看護情報生成システムにおいて、
　前記警告情報出力部は、前記患者を識別するための患者識別情報を前記警告情報と共に出力し、
　前記ナースコール情報出力部は、前記警告情報出力部により出力された前記警告情報および前記患者識別情報に基づいて前記ナースコール情報を出力し、
　前記看護必要度チェックデータ生成部は、前記ナースコール情報出力部により出力された前記ナースコール情報に基づいて、前記患者識別情報に対応する患者の看護必要度チェックデータを生成することを特徴とする看護情報生成システム。
　　【請求項３】
患者に対する医療機器の使用解除を示す使用解除情報を出力する使用解除情報出力部と、
　前記使用解除情報出力部により出力された前記使用解除情報を含むナースコール情報を出力するナースコール情報出力部と、
　前記ナースコール情報出力部により出力された前記ナースコール情報に基づいて、前記患者の看護必要度を算出するために用いられる看護必要度チェックデータを生成する看護必要度チェックデータ生成部とを備え、
　前記看護必要度チェックデータ生成部は、前記ナースコール情報に前記使用解除情報が含まれていた場合、前記看護必要度チェックデータのうち前記患者に対する前記医療機器の使用に関する項目に使用なしの値を入力することを特徴とする看護情報生成システム。
　　【請求項４】
請求項３に記載の看護情報生成システムにおいて、
　前記使用解除情報出力部は、前記患者を識別するための患者識別情報を前記使用解除情報と共に出力し、
　前記ナースコール情報出力部は、前記使用解除情報出力部により出力された前記使用解除情報および前記患者識別情報に基づいて前記ナースコール情報を出力し、
　前記看護必要度チェックデータ生成部は、前記ナースコール情報出力部により出力された前記ナースコール情報に基づいて、前記患者識別情報に対応する患者の看護必要度チェックデータを生成することを特徴とする看護情報生成システム。
　　【請求項５】
請求項１〜４のいずれかに記載の看護情報生成システムにおいて、
　前記ナースコール情報出力部により出力された前記ナースコール情報をナースコール履歴情報として記憶するナースコール履歴情報記憶部を備え、
　前記看護必要度チェックデータ生成部は、前記ナースコール履歴情報を前記ナースコール履歴情報記憶部から読み出し、当該読み出したナースコール履歴情報に基づいて、前記看護必要度チェックデータを生成することを特徴とする看護情報生成システム。
　　【請求項６】
患者に対して使用される医療機器が異常を検知した場合に出力する警告情報を擬似的に発生させて出力する警告情報出力部と、前記警告情報出力部により出力された前記警告情報を含むナースコール情報を出力するナースコール情報出力部とを備える看護情報生成システムにおける看護必要度チェックデータ生成装置であって、
　前記ナースコール情報出力部により出力された前記ナースコール情報に基づいて、前記患者の看護必要度を算出するために用いられる看護必要度チェックデータを生成する看護必要度チェックデータ生成部を備え、
　前記看護必要度チェックデータ生成部は、前記ナースコール情報に前記警告情報が含まれていた場合、前記医療機器の使用開始の合図とみなして、前記看護必要度チェックデータのうち前記患者に対する前記医療機器の使用に関する項目に使用ありの値を入力することを特徴とする看護必要度チェックデータ生成装置。
　　【請求項７】
患者に対する医療機器の使用解除を示す使用解除情報を出力する使用解除情報出力部と、
前記使用解除情報出力部により出力された前記使用解除情報を含むナースコール情報を出力するナースコール情報出力部とを備える看護情報生成システムにおける看護必要度チェックデータ生成装置であって、
　前記ナースコール情報出力部により出力された前記ナースコール情報に基づいて、前記患者の看護必要度を算出するために用いられる看護必要度チェックデータを生成する看護必要度チェックデータ生成部を備え、
　前記看護必要度チェックデータ生成部は、前記ナースコール情報に前記使用解除情報が含まれていた場合、前記看護必要度チェックデータのうち前記患者に対する前記医療機器の使用に関する項目に使用なしの値を入力することを特徴とする看護必要度チェックデータ生成装置。」
　
第３　原査定の拒絶理由の概要
　
　本願の請求項１発明〜請求項７発明は，下記の刊行物に記載された発明に基づいて，当業者が容易に発明をすることができたものであるから，特許法第２９条第２項の規定より特許を受けることができない。
　
１．特開２００７−１１７４９１号公報（以下，「引用文献１」という。）
２．特開２００６−２５５００７号公報（以下，「引用文献２」という。）
３．特開２００７−６９２８号公報　　（以下，「引用文献３」という。）
４．特開２００４−１４７９９４号公報（以下，「引用文献４」という。）
５．特開２００６−２３０８９２号公報（以下，「引用文献５」という。）
６．特開２００５−８０７６５号公報　（以下，「引用文献６」という。）
７．特開２００２−１９１６４８号公報（以下，「引用文献７」という。）
８．特開２００２−１４３１００号公報（以下，「引用文献８」という。）
　
第４　引用文献の記載事項
　
１．引用文献１（特開２００７−１１７４９１号公報）
　
　引用文献１には，次の事項が記載されている（下線は，当審において付与した。）。
　
ア．「【０００２】
　人工呼吸器や点滴装置等の医療機器には使用する患者の位置に合わせて移動可能としたものがある。そのような移動可能な医療機器のうち、例えば人工呼吸器では、患者に装着して器具が脱落したり装着不良や故障等の異常が発生したら警報を発するよう構成されたものがある（例えば、特許文献１参照）。
　また点滴装置では、ナースコールシステムに接続されて、点滴中に点滴数が異常値になったり、点滴が終了したらナースステーションに自動連絡を行うものがある（例えば、特許文献２参照）。
【０００３】
【特許文献１】特開２００３−２９９７３６号公報
【特許文献２】特開２００１−２５９０２６号公報
【発明の開示】
【発明が解決しようとする課題】
【０００４】
　しかしながら、上記特許文献１に開示された人工呼吸器は、装着不良等の異常が発生した場合、ナースコールを行ったり携帯端末に通報することが可能となっているが、専用の配線を設けたり無線通報するための装置が必要であり、専用の装置を設けなければならない。そのため、容易に実施できる構成ではなかった。
　また、上記特許文献２に開示された点滴装置は、ナースコールシステムに接続する構成であるため、容易に警報信号等をナースステーションに伝送することができるが、警報信号の形態はメイク接点信号かブレイク接点信号か確認して信号に応じた信号中継ボックスを配設する必要があるし、ナースコールシステムに接続して使用する場合、接続が外れても分からず、警報が発せられてもその信号が伝送されない場合がある。
【０００５】
　そこで、本発明はこのような問題点に鑑み、
ナースコールシステムを使用して移動可能な医療機器の警報をナースステーションにおいて発報可能であって、且つ医療機器の信号形態を自動検知したり医療機器の接続不良を検知可能としたナースコールシステム
　
イ．「【００１０】
　以下、本発明を具体化した実施の形態を、図面に基づいて詳細に説明する。図１は本発明に係るナースコールシステムの構成図を示し、１は
看護師を呼び出すためのナースコール子機、
３はナースステーションに設置されてナースコール子機１からの呼び出しを報知すると共に関係する患者情報を表示するナースコール親機、４はシステムを制御するナースコール制御機、５は医療機器をナースコールシステムに接続可能とするナースコールアダプタ
６は移動可能な医療機器としての人工呼吸器を示している
　
ウ．「【００１４】
　この
ナースコールアダプタ５は次のような動作をする
始めに、人工呼吸器６の出力信号（発報信号）の種類を判定する。医療機器の出力信号の種類は機器によって異なり、メイク接点の場合もあればブレイク接点の場合もある。そのため、埋込型子機１ａにナースコールアダプタ５を接続後、電源を供給すると接続された人工呼吸器６の定常状態を接点判定回路１３にて一定時間判定する。定常状態がメイク接点であれば、発報状態はブレイク接点、定常状態がブレイク接点であれば、発報状態はメイク接点となる
【００１５】
　接点判定回路１３にて出力信号の判定が行われた後、人工呼吸器６から発報信号が出力されると、Ｉ／Ｆ回路１７、接点判定回路１３を介して
呼出回路１４で発報信号が検出される。この呼出回路１４で、人工呼吸器６からの発報信号をナースコール信号（握りボタン１ｂを操作した場合と同様の信号）に準じた信号に変換が成され、ナースコール子機１に出力される
この変換信号により
ナースコール制御機４はあたかも呼出操作が成された場合と同様の動作を実施し、ナースコール親機３で呼出報知と同様の報知動作を実施し
　
エ．「【００１７】
　一方、
ナースコールアダプタ５の医療機器接続部１２には、プラグの挿脱に連動するプラグ検知スイッチ（図示せず）が設けられている。このプラグ検知スイッチのオン／オフ動作を受けて脱落断線検出回路１６は脱落発生を判断する
【００１８】
　
ナースコールアダプタ５が稼働時に、ナースコールアダプタ５に接続されている人工呼吸器６のプラグが抜けた場合は、プラグ検知スイッチが例えばオンとなり、脱落断線検出回路１６が断線状態と認識する。そして、プラグの抜けを検知した脱落断線検出回路１６は、脱落断線信号を出力し、ナースコール子機１、集合廊下灯２、ナースコール制御機４を経てナースコール親機３に伝送される。その結果、ナースコール親機３は脱落断線信号を受けて報知動作する
　
　前記ア．〜エ．によれば，引用文献１には，次の発明（以下，「引用発明」という。）が記載されているといえる。
　
＜引用発明＞
「移動可能な医療機器の警報をナースステーションにおいて発報可能であり，且つ，医療機器の信号形態を自動検知し，医療機器の接続不良を検知可能としたナースコールシステムであって，
　看護師を呼び出すためのナースコール子機と，ナースステーションに設置されてナースコール子機からの呼び出しを報知すると共に関係する患者情報を表示するナースコール親機と，システムを制御するナースコール制御機と，医療機器をナースコールシステムに接続可能とするナースコールアダプタとを備え，
　ナースコールアダプタは，医療機器の出力信号の定常状態を判定し，定常状態がメイク接点であればブレイク接点を発報状態として検出し，定常状態がブレイク接点であればメイク接点を発報状態として検出し，医療機器の発報信号を検出すると，当該発報信号をナースコール信号に準じた信号に変換して，ナースコール子機に出力し，
　ナースコール制御機は，ナースコールアダプタからの変換信号により，呼出操作が成された場合と同様の動作を実施して，ナースコール親機に報知動作を行わせ，
　ナースコールアダプタは，医療機器接続部にプラグの挿脱に連動するプラグ検知スイッチが設けられ，プラグ検知スイッチのオン／オフ動作を受けて脱落断線状態を認識すると，脱落断線信号を出力し，
　ナースコール親機は，脱落断線信号を受けて報知動作する，ナースコールシステム。」
　
２．引用文献２（特開２００６−２５５００７号公報）
　
　引用文献２には，次の事項が記載されている（下線は，当審において付与した。）。
　
オ．「【００１６】
　・・・（中略）・・・ 図１に上記
ナースコールシステムの構成を示す。このシステムは、ナースコール子機１００と
ナースコール親機３００と
を備える
【００１７】
　
ナースコール子機１００は、患者が携帯する無線端末装置であって
指紋スキャナ１０２と
バイタルセンサ１０３と
を備える
【００１８】
　操作部１０１は、押しボタンなどの指による簡単な操作で、ユーザからの呼び出し要求を受け付けるもので、要求を受け付けると、その旨を制御部１０９に通知する。  
　指紋スキャナ１０２は、操作部１０１の押しボタンを押下した指の指紋を読み取るスキャナであって、読み込んだ指紋からバイオメトリック値を求めてデータ化し、指紋データとして制御部１０９に出力する。
【００１９】
　バイタルセンサ１０３は、図２に示すように、当該ナースコール子機１００の側面部に２つの電極を配置したものであって、ユーザである患者が当該ナースコール子機１００を手に持った際に、上記２つの電極を通じて、患者のバイタル情報（体温、脈拍、血圧など）を測定し、この測定によって得たデータをバイタル情報として制御部１０９に出力する。」
　
カ．「【００２６】
　
ナースコール親機３００は、ナースセンタに設置されるもので
記憶部３０６
を備える
・・・（中略）・・・
【００３０】
　
記憶部３０６は
ナースコール子機１００から受信したバイタル情報を患者名に対応づけて患者毎に集計した患者名／バイタル情報集計テーブルを記憶する
　
キ．「【００５１】
　また上記構成のナースコールシステムでは、
ナースコール子機１００において患者のバイタル情報を測定し
上記測定したバイタル情報を指紋データとともにナースコール親機３００に伝送し
ナースコール親機３００では、指紋データに基づいて、患者毎にバイタル情報を集計して、集計結果を患者毎に示す
【００５２】
　したがって、上記構成のナースコールシステムによれば、医療従事者が患者の元へ赴かなくても、患者の操作でナースコール子機１００によりバイタルチェックを行って、ナースコール親機３００において集計・参照することができるので、効率的にバイタル情報を取得することができる。」
　
　前記オ．〜キ．によれば，引用文献２には，次の事項が記載されているといえる。
　
＜引用文献２の記載事項＞
「ナースコール子機とナースコール親機とを備えるナースコールシステムであって，
　ナースコール子機は，患者が携帯する無線端末装置であって，患者の指紋を読み取る指紋スキャナと，患者のバイタル情報を測定するバイタルセンサとを備え，当該バイタル情報を当該指紋データとともにナースコール親機に伝送し，
　ナースコール親機は，ナースセンタに設置され，指紋データに基づいて患者毎にバイタル情報を集計して，患者名／バイタル情報集計テーブルを記憶部に記憶する，ナースコールシステム。」
　
３．引用文献３（特開２００７−６９２８号公報）
　
　引用文献３には，次の事項が記載されている（下線は，当審において付与した。）。
　
ク．「【０００２】
ナースコールシステムの親機等には氏名等の患者特定情報とその患者の救護区分情報を対とする１ユニットの情報表示を複数ユニット表示するものがある。
【特許文献１】特開2001-215905
【発明の開示】
【発明が解決しようとする課題】
【０００３】
開示した特許文献記載のように
救護区分は
災害時の患者救護に用いられる
【課題を解決するための手段】
【０００４】
氏名等の患者特定情報とその患者の救護区分情報を対とする１ユニットの情報表示を複数ユニット表示するナースコールシステムで、救護区分を種類別に全ユニットにわたり集計し、その集計結果を表示することで課題を実現する
【発明の効果】
【０００５】
救護区分Aの患者＊人、Bの患者＊＊人、Cの患者＊＊＊人と表示される
救護活動において、救護忘れ等の確認
　
　前記ク．によれば，引用文献３には，次の事項が記載されているといえる。
　
＜引用文献３の記載事項＞
「氏名等の患者特定情報と災害時の患者救護に用いられる患者の救護区分情報を対とする１ユニットの情報表示を，複数ユニット表示するナースコールシステムであって，
　救護区分を種類別に全ユニットにわたり集計し，その集計結果を，救護区分Aの患者＊人、Bの患者＊＊人、Cの患者＊＊＊人のように表示し，救護活動における救護忘れ等の確認を行えるナースコールシステム。」
　
４．引用文献４（特開２００４−１４７９９４号公報）
　
　引用文献４には，次の事項が記載されている（下線は，当審において付与した。）。
　
ケ．「【０００５】
本発明の目的は、
患者の心電図の測定結果をリアルタイムにかつ正確に送信することが可能な携帯型心電計
　
コ．「【０００９】
また、本発明に係る
携帯型心電計によれば
心電図データを病院の診断者へ送信する
　
サ．「【００１７】
本発明に係る携帯型心電計において、無線通信装置は、所定の警報信号を受信し、無線通信装置により受信される警報信号に応答して警報音を出力する警報音出力手段をさらに備えてもよい。この場合において、
診断者は心電図に基づいて患者の体調が悪いと診断した場合、無線通信装置に警報信号を送信する。そして、診断者からの所定の警報信号が無線通信装置に受信されると、警報音出力手段により警報音が出力される。このように、診断者は患者の体調が悪くなったときに携帯型心電計を通して即座に運動の中止を指示することができる
　
　前記ケ．〜サ．によれば，引用文献４には次の事項が記載されているといえる。
　
＜引用文献４の記載事項＞
「患者の心電図の測定結果をリアルタイムにかつ正確に送信することが可能な携帯型心電計であって，
　測定された心電図データを病院の診断者へ送信し，
　診断者が心電図データに基づいて患者の体調が悪いと診断した場合に，診断者から警報信号を受信して，警報音出力手段により警報音を出力し，
　これにより，診断者は，患者の体調が悪くなったときに，患者に運動の中止を指示することができる，携帯型心電計。」
　
５．引用文献５（特開２００６−２３０８９２号公報）
　
　引用文献５には，次の事項が記載されている（下線は，当審において付与した。）。
　
シ．「【００１６】
　図１のシステム説明図に示す
看護支援システムは
病室
ナースコール子機１ａ〜４ａ、１ｂ〜４ｂ、・・・と
ナースステーション
内に設置されており
ＰＣ型ナースコール親機１１と
巡回看護師によりそれぞれ携行され
ハンディナース親機１３ａ、１３ｂ、・・・と
　
ス．「【００２８】
　図３のブロック図において、全ての
ハンディナース親機１３ａ、１３ｂ、・・・のハンディナース親機ＣＰＵ１３０（１３０、１３０、・・・）は
ナースコール子機１ａが設置された病床の患者によりトイレ介助呼び出しがあったことを検出し、その旨の報知（放音、表示）を
行う
　
セ．「【００２９】
　図１のシステム説明図において、前述のような
呼出報知を確認した（ナースステーション内に在室中の）在室看護師およびハンディナース親機１３ａを携行している巡回看護師のうち、最先に応答操作を行った看護師、ここでは、前述の巡回看護師がハンディナース親機１３ａのハンディナース親機操作部１３４を使用して所定の応答操作を行うと
呼出応答信号を生成する
　
ソ．「【００３０】
　図４のブロック図において、
制御機１６の制御機ＣＰＵ１６０は
ハンディナース親機
からの呼出応答信号を検出すると
ナースコール親機用制御信号
を生成する
　
タ．「【００３２】
　図２のブロック図において、ＰＣ型ナースコール親機１１の
ナースコール親機ＣＰＵ１１０は、制御機１６（の制御機ＣＰＵ１６０）からのナースコール親機用制御信号を検出すると、
ナースコール親機メモリ１１１に予め記憶されている巡回看護師の看護師ＩＤ、すなわち、ハンディナース親機１３ａを携行している巡回看護師の看護師ＩＤを読み出す。また、ナースコール親機ＣＰＵ１１０は、ナースコール親機メモリ１１１から読み出されたハンディナース親機１３ａを携行している巡回看護師の看護師ＩＤと「Ａ号室」内でナースコール子機１ａが設置された病床の患者の患者ＩＤとを看護履歴としてナースコール親機メモリ１１１に記憶させることができる。
　
チ．「【００４２】
　・・・（中略）・・・
この巡回看護師が呼出元である患者の病床まで赴き看護を行う、例えば、トイレ介助のための看護を行い当該トイレ介助の看護内容に割り当てられているハンディナース親機操作部１３４の看護科目ボタン１３４ａを操作すると
ハンディナース親機ＣＰＵ１３０は
看護内容信号を生成する
　
ツ．「【００４４】
　図２のブロック図において、ＰＣ型ナースコール親機１１の
ナースコール親機ＣＰＵ１１０は
ハンディナース親機１３ａ（のハンディナース親機ＣＰＵ１３０）からの看護内容信号に付加された操作データに関連付けられてナースコール親機メモリ１１１に予め記憶されている看護内容、すなわち、トイレ介助のための看護内容を検出し、検出された看護内容をナースコール親機メモリ１１１に記憶させることにより、
ハンディナース親機１３ａを携行している巡回看護師により行われた看護がトイレ介助であった旨の看護内容を記憶させることができる
　
テ．「【００５０】
　また、（ナースステーション内に在室中の）在室看護師は、図１のシステム説明図および図２のブロック図に示すＰＣ型ナースコール親機１１のナースコール親機表示部１１３および
ナースコール親機操作部１１４を使用して、（複数の）ハンディナース親機１３ａ、１３ｂ、・・・毎に看護履歴として記憶するための看護内容をハンディナース親機操作部１３４（１３４、１３４、・・・）に備えられている看護科目ボタン１３４ａ（１３４ａ、１３４ａ、・・・）に割り当て、この割り当てられた情報（以下、看護履歴割り当て情報という。）をナースコール親機メモリ１１１に記憶させることができる
【００５１】
　前述までの動作から明らかなように、（ナースステーション内に在室中の）在室看護師は、自らの使い勝手が高められるように、（複数の）ハンディナース親機１３ａ、１３ｂ、・・・の
ハンディナース親機操作部１３４（１３４、１３４、・・・）に備えられている看護科目ボタン１３４ａ（１３４ａ、１３４ａ、・・・）毎に、看護履歴として記憶させる看護内容を自由に割り当てることができ
　
ト．「【００５４】
　・・・（中略）・・・この
巡回看護師がハンディナース親機操作部１３４を使用して呼出元の患者に関する将来的な看護内容を選択すると
看護内容選択信号を生成する
【００５５】
　図２のブロック図において、ＰＣ型ナースコール親機１１の
ナースコール親機ＣＰＵ１１０は
ハンディナース親機１３ａ
からの看護内容選択信号に付加されている操作データをもとに、「Ａ号室」内でナースコール子機１ａが設置された病床の患者に対する将来的な看護内容を検出し、検出された看護内容をナースコール親機メモリ１１１に記憶させる
　
　前記シ．〜ト．によれば，引用文献５には，次の事項が記載されているといえる。
　
＜引用文献５の記載事項＞
「病室のナースコール子機と，ナースステーション内に設置されたナースコール親機と，巡回看護師により携行されるハンディナース親機とを備えた看護支援システムであって，
　ハンディナース親機は，ナースコール子機が設置された患者による呼び出しがあると，その旨を報知し，
　ナースコール親機は，呼出報知を確認した巡回看護師がハンディナース親機を使用して応答操作を行うと，当該巡回看護師の看護師ＩＤと前記患者の患者ＩＤとを看護履歴として記憶し，
　ナースコール親機は，ハンディナース親機毎に看護履歴として記憶するための看護内容をハンディナース親機に備えられた看護科目ボタンに自由に割り当てて，この割り当て情報を記憶することができ，巡回看護師が呼出元の患者の看護を行い，その看護内容に割り当てられた看護科目ボタンを操作すると，当該看護内容を看護履歴として記憶し，
　ナースコール親機は，巡回看護師がハンディナース親機を使用して呼出元の患者に関する将来的な看護内容を選択すると，当該看護内容を記憶する，看護支援システム。」
　
６．引用文献６（特開２００５−８０７６５号公報）
　
　引用文献６には，次の事項が記載されている（下線は，当審において付与した。）。
　
ナ．「【００２２】
　本発明によれば、
医療機器によって生体情報が測定されている患者、および測定されている生体情報の種類をナースコール親機側で把握することができる
　
ニ．「【００２７】
　
ナースコールシステムは、各病室にそれぞれ設置される病室ユニット１１〜１ｎと、ナースセンタに設置されるセンタ装置としてのナースコール親機２とを備え
　
ヌ．「【００２９】
　・・・（中略）・・・また
病室ユニット１１〜１ｎは
これらは病床の壁に、各ベッド毎に設けられた壁埋め込み型子機１０８に、接続端子１１２を介して接続され
　
ネ．「【００３２】
　また、
壁埋め込み型子機１０８の接続端子１１２に、例えば心電図モニタ等の医療機器３０の出力端子を接続することによって、壁埋め込み型子機１０８は、医療機器３０から出力される測定信号を受信する
壁埋め込み型子機１０８は、この測定信号を受信すると、この測定信号に自己（壁埋め込み型子機１０８）の番号またはアドレス情報を付加して個別情報廊下灯１０７を介してナースコール親機２に送信する
　
ノ．「【００３４】
　ところで、ナースコール親機２は次のように構成される。図２はその機能構成を示すブロック図である。  
　すなわち、
ナースコール親機２は
中央処理ユニット（ＣＰＵ）２０を備える
・・・（中略）・・・
【００３７】
　
入力表示インタフェース２７には、タッチパネル／表示器２７１が接続される。
入力表示インタフェース２７は、ＣＰＵ２０から供給された表示情報をタッチパネル／表示器２７１に表示する
【００３８】
　
データメモリ２２には、アイコン表示データベース２２ａが設けられている。
　
ハ．「【００４８】
　
患者の生体情報を測定する場合には、該患者のベッドに対応して配置されている壁埋め込み型子機１０８の接続端子１１２に、医療機器３０の出力端子が接続される
測定信号が医療機器３０から出力され、壁埋め込み型子機１０８に入力される
【００４９】
　すると、
壁埋め込み型子機１０８によって
この測定信号に自己の壁埋め込み型子機１０８の番号またはアドレス情報が更に付加され、個別情報廊下灯１０７を介してナースコール親機２へと送信される
【００５０】
　このようにして送信された
測定信号は、通信インタフェース２３を経由してＣＰＵ２０に入力される
【００５１】
　すると、
ＣＰＵ２０によってアイコン表示プログラム２１ａが呼び出され、
【００５２】
　
更にアイコン表示プログラム２１ａによって、例えば図４に示すように、タッチパネル／表示器２７１に表示されている患者一覧表示エリアＥ１において、ステップＳ４にて認識されたベッド番号に対応する患者名の近傍のアイコン表示部Ｅ４に、測定中の生体情報に応じたパターンを有するアイコンが表示される
　
ヒ．「【００５６】
　
このようにしてアイコン表示部Ｅ４からアイコンが表示されると、該当患者のベッド番号、医療機器３０の識別番号、およびアイコン表示がなされた時間帯からなるアイコン表示データがアイコン表示プログラム２１ａによって作成され、アイコン表示データベース２２ａへと記憶される
　
　前記ナ．〜ヒ．によれば，引用文献６には次の事項が記載されているといえる。
　
＜引用文献６の記載事項＞
「医療機器によって生体情報が測定されている患者，および測定されている生体情報の種類をナースコール親機側で把握することができるナースコールシステムであって，
　各病室に設置される病室ユニットと，ナースセンタに設置されるナースコール親機とを備え，
　病室ユニットは壁埋め込み型子機を備え，壁埋め込み型子機は，医療機器を接続することによって，医療機器から出力される測定信号を受信し，この測定信号をナースコール親機に送信し，
　ナースコール親機は，タッチパネル／表示器とデータメモリとを備え，測定信号を受信すると，タッチパネル／表示器に表示されている患者名の近傍に、測定中の生体情報に応じたパターンを有するアイコンを表示し，該当患者のベッド番号，医療機器の識別番号，およびアイコン表示がなされた時間帯からなるアイコン表示データを作成して，データメモリのアイコン表示データベースに記憶する，ナースコールシステム。」
　
７．引用文献７（特開２００２−１９１６４８号公報）
　
　引用文献７には，次の事項が記載されている（下線は，当審において付与した。）。
　
フ．「【００２０】さらに、本発明の
ナースコール装置は、患者のベッド付近に設置されるベッド子機と、ナースセンター内に設置されるナースコール親機と、看護婦等が携帯するハンディナースとの間で病院施設内の廊下に設置される廊下灯を介して呼出・通話が可能なナースコール装置であって、患者の点滴装置から点滴残量を検出する検出部を有し点滴残量があらかじめ規定した残量以下になったとき点滴終了情報をベッド子機に伝送する点滴残量検出装置を備え、廊下灯は、ベッド子機から伝送されてきた点滴終了情報に応じて点滴終了を表示する表示部を有する
　
ヘ．「【００２５】また、ナースコール装置は、患者のベッド付近に据え置き患者に点滴を受けさせるための点滴装置１１から点滴残量を検出する検出部１２１を有し、点滴残量があらかじめ規定した残量以下になったとき点滴終了情報をベッド子機１４に伝送する点滴残量検出装置１２を備えている。これに対応して
ナースコール親機１６は、ベッド子機１４から伝送されてきた点滴終了情報に応じて表示部１６４によって点滴終了を表示し
　
ホ．「【００３１】・・・（中略）・・・ベッド子機１４は、この点滴終了情報を子機接続幹線Ｌ２を介して廊下灯１５に伝送する。
廊下灯１５はこの点滴終了情報に応じて表示部１５１によって点滴終了を表示して、病室Ａ内の患者の点滴が終了したことを廊下にいる看護婦等に知らせる
【００３２】また、
廊下灯１５は、この点滴終了情報を廊下灯接続幹線Ｌ１を介して制御機１７に伝送する。制御機１７は、この点滴終了情報を親機接続幹線Ｌ３を介してナースコール親機１６に
伝送する
ナースコール親機１６はこの点滴終了情報に応じて、特定患者Ａを表示する表示部１６４で点滴終了を表示し
　
　前記フ．〜ホ．によれば，引用文献７には次の事項が記載されているといえる。
　
＜引用文献７の記載事項＞
「患者のベッド付近に設置されるベッド子機と，
　ナースセンター内に設置されるナースコール親機と，
　病院施設内の廊下に設置される廊下灯と，
　患者の点滴装置から点滴残量を検出する検出部を有し点滴残量があらかじめ規定した残量以下になったとき点滴終了情報をベッド子機に伝送する点滴残量検出装置とを備え，
　廊下灯は，ベッド子機から伝送されてきた点滴終了情報に応じて点滴終了を表示する表示部を有し，
　ナースコール親機は、ベッド子機から伝送されてきた点滴終了情報に応じて点滴終了を表示する表示部を有する，ナースコール装置。」
　
８．引用文献８（特開２００２−１４３１００号公報）
　
　引用文献８には，次の事項が記載されている（下線は，当審において付与した。）。
　
マ．「【０００６】
【課題を解決するための手段】本発明における
ナースコールシステムは
ナースセンタや医局に配備された通信装置と、病室等に配備され前記通信装置と通信する通信端末とを備え
前記通信端末は外部の医療機器に接続されその計測値を入力する複数の外部信号入力部と、前記計測値の状態の変化を判定しその度合いおよび種類により前記ナースセンタや医局等通報先を選択して通報する測定解析部とを備えるという構成を有している
【０００７】本発明におけるナースコールシステムは、前記ナースセンタおよび医局が、
前記通信装置に接続され、呼び出し元の通信端末の識別番号と外部の医療機器からの計測値の状態とを表示する管理モニター装置を備える
通信端末から取得した外部医療機器の状況をナースセンタや医局に配備されている管理モニター装置に表示する
【０００８】本発明におけるナースコールシステムは、前記外部信号入力部の少なくとも１つが、複数の接点部からなり、前記医療機器の出力の状況に応じて変化する前記接点部のオン情報の組み合わせまたは時間パターンに基づき呼び出し先を選択するという構成を有している。この構成により、複数の
点滴装置のような医療機器を同時に監視することができ、各点滴の終了と種類とを自動的に看護婦に通知することができる
　
ミ．「【００２４】また、
外部信号入力部１３ａとしては、少なくとも複数の接点部（オン／オフスイッチ）を設け、接続する医療機器として点滴装置１６を接続し、点滴が終了間近になるとオンになるインタフェースとすれば、点滴が終了間近になったことを点滴の種類とともにナースセンタ１に通知することができ
　
　前記マ．ミ．によれば，引用文献８には次の事項が記載されているといえる。
　
＜引用文献８の記載事項＞
「ナースセンタや医局に配備された通信装置と，病室等に配備され前記通信装置と通信する通信端末と，前記通信装置に接続され，呼び出し元の通信端末の識別番号と外部の医療機器からの計測値の状態とを表示する管理モニター装置とを備え，
　前記通信端末は，外部医療機器が接続されて，その計測値を入力する複数の外部信号入力部と，前記計測値の状態の変化を判定しその度合いおよび種類により前記ナースセンタや医局等通報先を選択して通報する測定解析部とを備え，
　前記医療機器は点滴装置であり，点滴が終了間近になったことを点滴の種類とともにナースセンタに通知し，
　管理モニター装置は，通信端末から取得した外部医療機器の状況を表示する，ナースコールシステム。」
　
第５　対比・判断
　
１．請求項１発明
　
（１）対比
　
　次に，請求項１発明と引用発明とを対比する。
　
・引用発明の「ナースコールアダプタ」は，医療機器の発報信号をナースコール信号に準じた信号に変換して，ナースコール子機に出力する。この「発報信号」と，「ナースコール信号に準じた信号」は，「医療機器の警報をナースステーションにおいて発報」するための警告情報である。
　したがって，引用発明の「ナースコールアダプタ」と，請求項１発明の「患者に対して使用される医療機器が異常を検知した場合に出力する警告情報を擬似的に発生させて出力する警告情報出力部」は，「患者に対して使用される医療機器が異常を検知した場合に出力する警告情報を出力する警告情報出力部」の点で共通する。
　
・引用発明の「ナースコール制御機」は，「ナースコールアダプタ」からの変換信号により，ナースコール親機に報知動作を行わせる。したがって，引用発明の「ナースコール制御機」は，請求項１発明の「前記警告情報出力部により出力された前記警告情報を含むナースコール情報を出力するナースコール情報出力部」に相当する。
　
・引用発明の「ナースコールシステム」と，請求項１発明の「看護情報生成システム」は，「看護システム」の点で共通する。
　
　したがって，請求項１発明と引用発明は，次の点で一致する。
　
＜一致点＞
「患者に対して使用される医療機器が異常を検知した場合に出力する警告情報を出力する警告情報出力部と，
　前記警告情報出力部により出力された前記警告情報を含むナースコール情報を出力するナースコール情報出力部とを備えた看護システム。」
　
　そして，請求項１発明と引用発明は，次の点で相違する。
＜相違点１＞
　警告情報出力部が，請求項１発明では，医療機器が異常を検知した場合に出力する警告情報を「擬似的に発生させて出力する」のに対し，引用発明では，医療機器が出力する発報信号（警告情報）を「擬似的に発生させて出力する」ものではない点。
　
＜相違点２＞
　請求項１発明は，「前記ナースコール情報出力部により出力された前記ナースコール情報に基づいて、前記患者の看護必要度を算出するために用いられる看護必要度チェックデータを生成する看護必要度チェックデータ生成部とを備え、
前記看護必要度チェックデータ生成部は、前記ナースコール情報に前記警告情報が含まれていた場合、前記医療機器の使用開始の合図とみなして、前記看護必要度チェックデータのうち前記患者に対する前記医療機器の使用に関する項目に使用ありの値を入力する」のに対し，引用発明は，上記看護必要度チェックデータ生成部を備えていない点。
　
＜相違点３＞
　看護システムが，請求項１発明では「看護情報生成システム」であるのに対し，引用発明では「ナースコールシステム」であり，看護情報を生成するものではない点。
　
（２）判断
　
　次に，前記相違点１〜３について検討する。
　請求項１発明は，看護必要度の算出に必要な情報入力の手間を減らすことを目的とするもので，前記相違点１〜３に係る構成を備えることにより，看護必要度チェックデータのうち医療機器の使用に関する項目に「使用あり」の値を自動的に入力できるようにしたものである。
　一方，引用文献２〜８には，いずれも，患者の看護必要度を算出するために用いられる看護必要度チェックデータを生成する手段が記載されておらず，その入力の手間を減らす課題も示唆されていない。また，その課題を解決するために相違点１〜３に係る構成を採用することも記載されていない。なお，引用文献５には，ハンディナース親機を用いて，呼出元の患者に対する将来の看護内容を入力することが記載されているが，これは，巡回看護師が看護の予定を入力しているにすぎず，患者の看護必要度を算出するために用いられる看護必要度チェックデータを生成しているのではない。
　したがって，引用発明に引用文献２〜８記載の発明を組み合わせたとしても，相違点１〜３に係る構成は当業者が容易に想到し得るものではない。
　よって，請求項１発明は，引用発明及び引用文献２〜８に記載された発明に基づいて，当業者が容易に発明をすることができたものではない。
　
２．請求項２発明
　
　請求項２発明は，請求項１を引用して，請求項１発明を更に限定したものである。
　したがって，請求項２発明は，請求項１発明と同様に，引用発明及び引用文献２〜８に記載された発明に基づいて，当業者が容易に発明をすることができたものではない。
　
３．請求項３発明
　
（１）対比
　
　　請求項３発明と引用発明とを対比する。
　
・引用発明の「ナースコール制御機」は，「ナースコールアダプタ」からの変換信号により，ナースコール親機に報知動作を行わせる。したがって，引用発明の「ナースコール制御機」と，請求項３発明の「前記使用解除情報出力部により出力された前記使用解除情報を含むナースコール情報を出力するナースコール情報出力部」は，「ナースコール情報を出力するナースコール情報出力部」の点で共通する。
　
・引用発明の「ナースコールシステム」と，請求項３発明の「看護情報生成システム」は，「看護システム」の点で共通する。
　
　したがって，請求項３発明と引用発明は，以下の点で一致する。
　
＜一致点＞
「ナースコール情報を出力するナースコール情報出力部を備えた看護システム。」
　
　そして，請求項３発明と引用発明は，以下の点で相違する。
＜相違点１＞
　請求項３発明は，「患者に対する医療機器の使用解除を示す使用解除情報を出力する使用解除情報出力部」を備えるのに対し，引用発明は，上記使用解除情報出力部を備えていない点。
　
＜相違点２＞
　ナースコール情報出力部から出力されるナースコール情報が，請求項３発明では，「前記使用解除情報出力部により出力された前記使用解除情報を含む」のに対し，引用発明では，上記使用解除情報を含まない点。
　
＜相違点３＞
　請求項３発明は，「前記ナースコール情報出力部により出力された前記ナースコール情報に基づいて、前記患者の看護必要度を算出するために用いられる看護必要度チェックデータを生成する看護必要度チェックデータ生成部とを備え、
　前記看護必要度チェックデータ生成部は、前記ナースコール情報に前記使用解除情報が含まれていた場合、前記看護必要度チェックデータのうち前記患者に対する前記医療機器の使用に関する項目に使用なしの値を入力する」のに対し，引用発明は，上記看護必要度チェックデータ生成部を備えていない点。
　
＜相違点４＞
　看護システムが，請求項３発明では「看護情報生成システム」であるのに対し，引用発明では「ナースコールシステム」であり，看護情報を生成するものではない点。
　
（２）判断
　
　次に，前記相違点１〜４について検討する。
　請求項３発明は，請求項１発明と同様に，看護必要度の算出に必要な情報入力の手間を減らすことを目的とするもので，前記相違点１〜４に係る構成を備えることにより，看護必要度チェックデータのうち医療機器の使用に関する項目に「使用なし」の値を自動的に入力できるようにしたものである。
　一方，前記のとおり，引用文献２〜８には，いずれも，患者の看護必要度を算出するために用いられる看護必要度チェックデータを生成する手段が記載されておらず，その入力の手間を減らす課題も示唆されていない。また，その課題を解決するために相違点１〜４に係る構成を採用することも記載されていない。
　よって，請求項３発明は，引用発明及び引用文献２〜８に記載された発明に基づいて，当業者が容易に発明をすることができたものではない。
　
４．請求項４発明
　
　請求項４発明は，請求項３を引用して，請求項３発明を更に限定したものである。
　したがって，請求項４発明は，請求項３発明と同様に，引用発明及び引用文献２〜８に記載された発明に基づいて，当業者が容易に発明をすることができたものではない。
　
５．請求項５発明
　
　請求項５発明は，請求項１〜４を引用して，請求項１発明〜請求項４発明を更に限定したものである。
　したがって，請求項５発明は，請求項１発明〜請求項４発明と同様に，引用発明及び引用文献２〜８に記載された発明に基づいて，当業者が容易に発明をすることができたものではない。
　
６．請求項６発明
　
（１）対比
　
　請求項６発明と，引用発明とを対比する。
　
・引用発明の「ナースコールアダプタ」は，医療機器の発報信号をナースコール信号に準じた信号に変換して，ナースコール子機に出力する。この「発報信号」と，「ナースコール信号に準じた信号」は，「医療機器の警報をナースステーションにおいて発報」するための警告情報といえる。
　したがって，引用発明の「ナースコールアダプタ」と，請求項６発明の「患者に対して使用される医療機器が異常を検知した場合に出力する警告情報を擬似的に発生させて出力する警告情報出力部」は，「患者に対して使用される医療機器が異常を検知した場合に出力する警告情報を出力する警告情報出力部」の点で共通する。
　
・引用発明の「ナースコール制御機」は，「ナースコールアダプタ」からの変換信号により，ナースコール親機に報知動作を行わせる。したがって，引用発明の「ナースコール制御機」は，請求項６発明の「前記警告情報出力部により出力された前記警告情報を含むナースコール情報を出力するナースコール情報出力部」に相当する。
　
・引用発明の「ナースコールシステム」と，請求項６発明の「看護情報生成システム」は，「看護システム」の点で共通する。
　
・したがって，引用発明の「ナースコールアダプタ」及び「ナースコール制御機」と，請求項６発明の「患者に対して使用される医療機器が異常を検知した場合に出力する警告情報を擬似的に発生させて出力する警告情報出力部と、前記警告情報出力部により出力された前記警告情報を含むナースコール情報を出力するナースコール情報出力部とを備える看護情報生成システムにおける看護必要度チェックデータ生成装置」は，「患者に対して使用される医療機器が異常を検知した場合に出力する警告情報を出力する警告情報出力部と、前記警告情報出力部により出力された前記警告情報を含むナースコール情報を出力するナースコール情報出力部とを備える看護システムにおける装置」の点で共通する。
　
　したがって，請求項６発明と引用発明は，次の点で一致する。
　
「患者に対して使用される医療機器が異常を検知した場合に出力する警告情報を出力する警告情報出力部と、前記警告情報出力部により出力された前記警告情報を含むナースコール情報を出力するナースコール情報出力部とを備える看護システムにおける装置。」
　
　そして，請求項６発明と引用発明は，次の点で相違する。
　
＜相違点１＞
　警告情報出力部が，請求項６発明では，医療機器が異常を検知した場合に出力する警告情報を「擬似的に発生させて出力する」のに対し，引用発明では，医療機器が出力する発報信号（警告情報）を「擬似的に発生させて出力する」ものではない点。
　
＜相違点２＞
　看護システムにおける装置が，請求項６発明では，「看護情報生成システムにおける看護必要度チェックデータ生成装置」であり，その看護必要度チェックデータ生成装置は，「前記ナースコール情報出力部により出力された前記ナースコール情報に基づいて、前記患者の看護必要度を算出するために用いられる看護必要度チェックデータを生成する看護必要度チェックデータ生成部を備え、
　前記看護必要度チェックデータ生成部は、前記ナースコール情報に前記警告情報が含まれていた場合、前記医療機器の使用開始の合図とみなして、前記看護必要度チェックデータのうち前記患者に対する前記医療機器の使用に関する項目に使用ありの値を入力する」のに対し，
　引用発明では，ナースコールシステムのナースコールアダプタ及びナースコール制御機であり，上記看護必要度チェックデータ生成装置ではない点。
　
（２）判断
　
　請求項６発明は，請求項１発明と同様に，看護必要度の算出に必要な情報入力の手間を減らすことを目的とするもので，前記相違点１，２に係る構成を備えることにより，看護必要度チェックデータのうち医療機器の使用に関する項目に「使用あり」の値を自動的に入力できるようにしたものである。
　一方，前記のとおり，引用文献２〜８には，いずれも，患者の看護必要度を算出するために用いられる看護必要度チェックデータを生成する手段が記載されておらず，その入力の手間を減らす課題も示唆されていない。また，その課題を解決するために相違点１，２に係る構成を採用することも記載されていない。
　よって，請求項６発明は，引用発明及び引用文献２〜８に記載された発明に基づいて，当業者が容易に発明をすることができたものではない。
　
７．請求項７発明
　
（１）対比
　
　請求項７発明と引用発明とを対比する。
　
・引用発明の「ナースコール制御機」は，「ナースコールアダプタ」からの変換信号により，ナースコール親機に報知動作を行わせる。したがって，引用発明の「ナースコール制御機」と，請求項７発明の「前記使用解除情報出力部により出力された前記使用解除情報を含むナースコール情報を出力するナースコール情報出力部」は，「ナースコール情報を出力するナースコール情報出力部」の点で共通する。
　
・引用発明の「ナースコールシステム」と，請求項７発明の「看護情報生成システム」は，「看護システム」の点で共通する。
　
・引用発明の「ナースコール制御機」と，請求項７発明の「患者に対する医療機器の使用解除を示す使用解除情報を出力する使用解除情報出力部と、
前記使用解除情報出力部により出力された前記使用解除情報を含むナースコール情報を出力するナースコール情報出力部とを備える看護情報生成システムにおける看護必要度チェックデータ生成装置」は「ナースコール情報を出力するナースコール情報出力部を備える看護システムにおける装置」の点で共通する。
　
　したがって，請求項７発明と引用発明は，次の点で一致する。
　
＜一致点＞
「ナースコール情報を出力するナースコール情報出力部を備える看護システムにおける装置。」
　
　そして，請求項７発明と引用発明は，次の点で相違する。
　
＜相違点１＞
　請求項７発明は，「患者に対する医療機器の使用解除を示す使用解除情報を出力する使用解除情報出力部」を備えるのに対し，引用発明は，上記使用解除情報出力部を備えていない点。
　
＜相違点２＞
　ナースコール情報出力部から出力されるナースコール情報が，請求項７発明では，「前記使用解除情報出力部により出力された前記使用解除情報を含む」のに対し，引用発明では，上記使用解除情報を含まない点。
　
＜相違点３＞
　看護システムにおける装置が，請求項７発明では，「看護情報生成システムにおける看護必要度チェックデータ生成装置」であり，その看護必要度チェックデータ生成装置は，「前記ナースコール情報出力部により出力された前記ナースコール情報に基づいて、前記患者の看護必要度を算出するために用いられる看護必要度チェックデータを生成する看護必要度チェックデータ生成部を備え、
　前記看護必要度チェックデータ生成部は、前記ナースコール情報に前記使用解除情報が含まれていた場合、前記看護必要度チェックデータのうち前記患者に対する前記医療機器の使用に関する項目に使用なしの値を入力する」のに対し，
　引用発明では，ナースコールシステムにおけるナースコール制御機であり，上記看護必要度チェックデータ生成装置ではない点。
　
（２）判断
　
　請求項７発明は，請求項３発明と同様に，看護必要度の算出に必要な情報入力の手間を減らすことを目的とするもので，前記相違点１〜３に係る構成を備えることにより，看護必要度チェックデータのうち医療機器の使用に関する項目に「使用なし」の値を自動的に入力できるようにしたものである。
　一方，前記のとおり，引用文献２〜８には，いずれも，患者の看護必要度を算出するために用いられる看護必要度チェックデータを生成する手段が記載されておらず，その入力の手間を減らす課題も示唆されていない。また，その課題を解決するために相違点１〜３に係る構成を採用することも記載されていない。
　よって，請求項７発明は，引用発明及び引用文献２〜８に記載された発明に基づいて，当業者が容易に発明をすることができたものではない。
　
第６　まとめ
　
　以上のとおり，本願の請求項１発明〜請求項７発明は，引用発明及び引用文献２〜８に記載された発明に基づいて，当業者が容易に発明をすることができたものではないから，原査定の理由によっては，本願を拒絶することはできない。
　また，他に本願を拒絶すべき理由を発見しない。
　よって，結論のとおり審決する。